(57)【要約】【課題】扉厚さ方向位置調整のための工数の増加を防止し、調整を簡便にかつ安全に実施できるスライド蝶番を提供することにある。また、悪条件下での輸送時の振動・衝撃等にも耐え得るような十分な強度を有する本体部と調整部との外れ止め（抜け止め）構造を備えたスライド蝶番を提供する。【解決手段】本体部２０には、扉側と反対側の端縁で開口する第二切欠２１が形成され、この第二切欠２１に、調整部３３に螺合された第二調整ねじ４２の頭部が挿通されている。この第二調整ねじ４２によって扉閉鎖時の扉厚さ方向の位置調整が行われる。本体部２０の調整部３３側対向面には、第二切欠２１の外縁に沿い調整部３３に向けて膨出する膨出部２２が形成されている。また、調整部３３の本体部２０側対向面には、本体部２０に向けて突出して両側壁３５ａと天井壁３５ｂとの三方壁構造を有する係止爪３５（突出部）が形成されている。膨出部２２が係止爪３５に接当可能な位置関係にあり、本体部２０と調整部３３との係合が外れるのを防止する。【選択図】図３
2005194747.tif 000002
【特許請求の範囲】
【請求項１】
扉側に固定されたカップ部に２つのリンク部材を介して連結された断面アーチ状の本体部と、固定壁側に直接的に又は他部材を介して間接的に固定されるとともに前記アーチ状の本体部内に着脱可能に係合・保持された調整部とを有し、それら本体部と調整部とのアーチ形成方向への相対的なスライド移動に基づく閉鎖時の扉厚さ方向位置調整と、前記本体部内での前記調整部の相対的な揺動に基づく閉鎖時の扉幅方向位置調整とが、いずれも固定壁内面側から可能とされたスライド蝶番であって、
スライド移動方向における前記調整部の扉側の端縁で開口する第一切欠に、前記本体部に螺合された第一調整ねじの先端部が挿通され、その第一調整ねじによって前記扉幅方向位置調整が行われる一方、
前記スライド移動方向における前記本体部の扉側と反対側の端縁で開口する第二切欠に、前記調整部に螺合された第二調整ねじの頭部が挿通され、その第二調整ねじによって前記扉厚さ方向位置調整が行われ、
さらに、前記本体部と調整部との対向面のうち一方の対向面には他方の対向面に向けて膨出する膨出部が形成されるとともに、他方の対向面には一方の対向面に向けて起立する突出部が形成され、それら本体部と調整部とが互いに離間する向きにスライド移動したときに両者の係合が外れるのを防止するために、これら膨出部と突出部とが接触可能であることを特徴とするスライド蝶番。
【請求項２】
前記膨出部は、前記本体部の調整部側対向面において前記第二切欠の周縁に沿って少なくとも部分的に膨出し、
前記突出部は、前記調整部の本体部側対向面において扉側と反対側に開口を形成する形で起立している請求項１に記載のスライド蝶番。
【請求項３】
扉側に固定されたカップ部に２つのリンク部材を介して連結された断面アーチ状の本体部と、固定壁側に直接的に又は他部材を介して間接的に固定されるとともに前記アーチ状の本体部内に着脱可能に係合・保持された調整部とを有し、それら本体部と調整部とのアーチ形成方向への相対的なスライド移動に基づく閉鎖時の扉厚さ方向位置調整と、前記本体部内での前記調整部の相対的な揺動に基づく閉鎖時の扉幅方向位置調整とが、いずれも固定壁内面側から可能とされたスライド蝶番であって、
スライド移動方向における前記調整部の扉側の端縁で開口する第一切欠に、前記本体部に螺合された第一調整ねじの先端部が挿通され、その第一調整ねじによって前記扉幅方向位置調整が行われる一方、
前記スライド移動方向における前記本体部の扉側と反対側の端縁で開口する第二切欠に、前記調整部に螺合された第二調整ねじの頭部が挿通され、その第二調整ねじによって前記扉厚さ方向位置調整が行われ、
さらに、前記本体部の調整部側対向面には、前記第二切欠の周縁に沿い前記調整部に向けて膨出する膨出部が形成されるとともに、前記調整部の本体部側対向面には、前記スライド移動方向に沿って起立する両側の側壁とそれらを連結する天井壁とを有し扉側とは反対側に開口を有する突出部が形成され、それら本体部と調整部とが互いに離間する向きにスライド移動したときに両者の係合が外れるのを防止するために、これら膨出部と突出部とが接当可能であることを特徴とするスライド蝶番。
【請求項４】
扉側に固定されたカップ部に２つのリンク部材を介して連結された断面アーチ状の本体部と、固定壁側に直接的に固定されるとともに前記アーチ状の本体部内に着脱可能に係合・保持された調整部とを有し、それら本体部と調整部とのアーチ形成方向への相対的なスライド移動に基づく閉鎖時の扉厚さ方向位置調整と、前記本体部内での前記調整部の相対的な揺動に基づく閉鎖時の扉幅方向位置調整とが、いずれも固定壁内面側から可能とされたスライド蝶番であって、
スライド移動方向における前記調整部の扉側の端縁で開口する第一切欠に、前記本体部に螺合された第一調整ねじの先端部が挿通され、その第一調整ねじによって前記扉幅方向位置調整が行われる一方、
前記スライド移動方向における前記本体部の扉側と反対側の端縁で開口する第二切欠に、前記調整部に螺合された第二調整ねじの頭部が挿通され、その第二調整ねじによって前記扉厚さ方向位置調整が行われ、
さらに、前記本体部の調整部側対向面には、前記第二切欠の周縁に沿い前記調整部に向けて膨出する膨出部が形成されるとともに、前記調整部の本体部側対向面には、前記スライド移動方向に沿って起立する両側の側壁とそれらを連結する天井壁とを有し扉側とは反対側に開口を有する突出部が形成され、それら本体部と調整部とが互いに離間する向きにスライド移動したときに両者の係合が外れるのを防止するために、これら膨出部と突出部とが接当可能であることを特徴とするスライド蝶番。
【請求項５】
前記膨出部は、前記第二切欠の周縁部をほぼ全周にわたり調整部側に押圧成形することにより膨出形成され、
前記突出部は、前記スライド移動方向から見た前記天井壁の幅が扉側と反対側ほど狭くなるように、前記両側の側壁と天井壁とを押圧一体成形することにより起立形成されている請求項３又は４に記載のスライド蝶番。
【請求項６】
前記調整部に形成された突出部は、その開口位置における天井壁の最小幅が前記本体部に形成された第二切欠の幅よりも小となるように起立形成されている請求項５に記載のスライド蝶番。
【請求項７】
前記調整部には固定壁内面に沿って前記スライド移動方向と直交する方向に長孔が形成され、その長孔には固定壁内面に直接固定された固定部に螺合された第三調整ねじの先端部が挿通される一方、前記本体部にはその第三調整ねじの調整工具を挿入するための窓孔が形成され、
前記第三調整ねじによって、前記固定部に対する前記調整部の長孔形成方向への相対的なスライド移動に基づく扉上下方向位置調整が固定壁内面側から可能とされている請求項１ないし６のいずれか１項に記載のスライド蝶番。
【発明の詳細な説明】
【技術分野】
【０００１】
この発明はスライド蝶番に関し、特に家具等の扉を家具本体（固定壁）側に取り付けるためのスライド蝶番に関する。
【背景技術】
【０００２】
スライド蝶番（スライドヒンジともいう）は、扉を閉じたとき、開口が隠されて見えなくなるので外観もよく、広く用いられている。その際、扉内面と固定壁内面とにまたがってスライド蝶番を取り付けるようにすれば、スライド蝶番が外部に露出して家具等の外観が損なわれることがない。また、一般的にこのようなスライド蝶番は、扉側に固定されたカップ部に２つのリンク部材を介して連結された断面アーチ状の本体部と、固定壁側に固定されるとともにアーチ状の本体部内に着脱可能に係合・保持された調整部（又は固定部）とを有し、閉状態でむやみに開いたりしないように、扉の閉鎖状態及び開放状態を保持するためのターンオーバ機構がリンク部材に組み込まれている。そして、このターンオーバ機構を利用して扉を開放状態に保持して、本体部と調整部とのアーチ形成方向への相対的なスライド移動に基づく閉鎖時の扉厚さ方向位置調整（扉の前後方向調整又は扉と固定壁との隙間調整ともいう）と、本体部内での調整部の相対的な揺動に基づく閉鎖時の扉幅方向位置調整（扉の左右方向調整ともいう）とが、いずれも固定壁内面側から可能とされている（特許文献１，２参照）。
【０００３】
【特許文献１】特許第３１７４９３９号公報
【特許文献２】特許第３１１２７８６号公報
【０００４】
このうち、特許文献１では、本体（本体部）の鍵孔形状の長孔にマウンティングプレート（調整部）に螺合された調節兼固定ネジ（調整ねじ）の頭部が挿通され、その調節兼固定ネジによって扉厚さ方向位置調整が行われる。ところが、扉の位置調整を行うために、扉側に固定されたアーチ状の本体内に扉取付体（固定壁）側に固定されたマウンティングプレートをスライド挿入する場合に、マウンティングプレートから調節兼固定ネジを一旦取り外し、長孔に挿通し直してからマウンティングプレートに再螺合する必要がある。したがって、工数が増加し、調節兼固定ネジを紛失するおそれがある。
【０００５】
また、特許文献２では、取付座（調整部）の長孔に側壁（固定壁）に螺合された固定ねじ（調整ねじ）の頭部が挿通され、その固定ねじによって扉厚さ方向位置調整が行われる。ところが、扉の位置調整を行うために、複数（特許文献２では４個、少なくとも２個）の固定ねじを調節する必要があるので、工数が増加するとともに、取付座にこじれ（左右の調整ずれ）が発生するおそれがある。
【０００６】
そこで、このような調整工数の増加を防止し、扉厚さ方向位置調整を簡便に実施できるようにするために、扉の位置調整を行う際に本体部と調整部との係合が外れないための工夫（構造）を要する場合がある。ところで、扉の位置調整を作業現場で迅速に行えるように、通常、スライド蝶番の本体部と調整部とは非係合状態で大量一括袋詰め（箱詰め）梱包され出荷される。したがって、このような外れ止め（抜け止め）構造を設ける場合、悪天候・悪路走行状態・長距離移動といった悪条件下での輸送時の振動・衝撃等にも耐え得るような十分な強度が要求される。
【発明の開示】
【発明が解決しようとする課題】
【０００７】
本発明の第一の課題は、扉厚さ方向位置調整のための工数の増加を防止し、調整を簡便にかつ安全に実施できるスライド蝶番を提供することにある。また、本発明の第二の課題は、悪条件下での輸送時の振動・衝撃等にも耐え得るような十分な強度を有する本体部と調整部との外れ止め（抜け止め）構造を備えたスライド蝶番を提供することにある。
【課題を解決するための手段及び発明の効果】
【０００８】
上記第一の課題を解決するために、本発明のスライド蝶番は、
扉側に固定されたカップ部に２つのリンク部材を介して連結された断面アーチ状の本体部と、固定壁側に直接的に又は他部材を介して間接的に固定されるとともに前記アーチ状の本体部内に着脱可能に係合・保持された調整部とを有し、それら本体部と調整部とのアーチ形成方向への相対的なスライド移動に基づく閉鎖時の扉厚さ方向位置調整と、前記本体部内での前記調整部の相対的な揺動に基づく閉鎖時の扉幅方向位置調整とが、いずれも固定壁内面側から可能とされたスライド蝶番であって、
スライド移動方向における前記調整部の扉側の端縁で開口する第一切欠に、前記本体部に螺合された第一調整ねじの先端部が挿通され、その第一調整ねじによって前記扉幅方向位置調整が行われる一方、
前記スライド移動方向における前記本体部の扉側と反対側の端縁で開口する第二切欠に、前記調整部に螺合された第二調整ねじの頭部が挿通され、その第二調整ねじによって前記扉厚さ方向位置調整が行われ、
さらに、前記本体部と調整部との対向面のうち一方の対向面には他方の対向面に向けて膨出する膨出部が形成されるとともに、他方の対向面には一方の対向面に向けて起立する突出部が形成され、それら本体部と調整部とが互いに離間する向きにスライド移動したときに両者の係合が外れるのを防止するために、これら膨出部と突出部とが接触可能であることを特徴とする。
【０００９】
このような構成によれば、扉厚さ方向位置調整を行うとき、第二調整ねじが調整部に螺合された状態で第二切欠に挿通すればよい。したがって、第二調整ねじを一旦取り外し、第二切欠に挿通し直してから調整部に再螺合する必要がなく、また、複数の第二調整ねじを調節する必要もないので、工数の増加を抑制し、扉厚さ方向位置調整を簡便に実施できる。さらに、膨出部と突出部との接触（接当）によって、本体部と調整部との外れ止め（抜け止め）が防止されるので、安全確実に扉厚さ方向位置調整を実施できる。
【００１０】
その際、本体部の調整部側対向面において第二切欠の周縁に沿って膨出部を少なくとも部分的に膨出させ、調整部の本体部側対向面において扉側と反対側に開口を形成する形で突出部を起立させることができる。このように、膨出部と突出部とを容易に形成でき、突出部を膨出部に確実に接触（接当）させることができるので、本体部と調整部との外れ止め（抜け止め）構造を安価に採用できる。なお、第二切欠の周縁部を２枚重ね構造とすることによって膨出部を形成することができる。
【００１１】
次に、上記第二の課題を解決するために、本発明のスライド蝶番は、
扉側に固定されたカップ部に２つのリンク部材を介して連結された断面アーチ状の本体部と、固定壁側に直接的に又は他部材を介して間接的に固定されるとともに前記アーチ状の本体部内に着脱可能に係合・保持された調整部とを有し、それら本体部と調整部とのアーチ形成方向への相対的なスライド移動に基づく閉鎖時の扉厚さ方向位置調整と、前記本体部内での前記調整部の相対的な揺動に基づく閉鎖時の扉幅方向位置調整とが、いずれも固定壁内面側から可能とされたスライド蝶番であって、
スライド移動方向における前記調整部の扉側の端縁で開口する第一切欠に、前記本体部に螺合された第一調整ねじの先端部が挿通され、その第一調整ねじによって前記扉幅方向位置調整が行われる一方、
前記スライド移動方向における前記本体部の扉側と反対側の端縁で開口する第二切欠に、前記調整部に螺合された第二調整ねじの頭部が挿通され、その第二調整ねじによって前記扉厚さ方向位置調整が行われ、
さらに、前記本体部の調整部側対向面には、前記第二切欠の周縁に沿い前記調整部に向けて膨出する膨出部が形成されるとともに、前記調整部の本体部側対向面には、前記スライド移動方向に沿って起立する両側の側壁とそれらを連結する天井壁とを有し扉側とは反対側に開口を有する突出部が形成され、それら本体部と調整部とが互いに離間する向きにスライド移動したときに両者の係合が外れるのを防止するために、これら膨出部と突出部とが接当可能であることを特徴とする。
【００１２】
また、上記第二の課題を解決するために、本発明のスライド蝶番は、
扉側に固定されたカップ部に２つのリンク部材を介して連結された断面アーチ状の本体部と、固定壁側に直接的に固定されるとともに前記アーチ状の本体部内に着脱可能に係合・保持された調整部とを有し、それら本体部と調整部とのアーチ形成方向への相対的なスライド移動に基づく閉鎖時の扉厚さ方向位置調整と、前記本体部内での前記調整部の相対的な揺動に基づく閉鎖時の扉幅方向位置調整とが、いずれも固定壁内面側から可能とされたスライド蝶番であって、
スライド移動方向における前記調整部の扉側の端縁で開口する第一切欠に、前記本体部に螺合された第一調整ねじの先端部が挿通され、その第一調整ねじによって前記扉幅方向位置調整が行われる一方、
前記スライド移動方向における前記本体部の扉側と反対側の端縁で開口する第二切欠に、前記調整部に螺合された第二調整ねじの頭部が挿通され、その第二調整ねじによって前記扉厚さ方向位置調整が行われ、
さらに、前記本体部の調整部側対向面には、前記第二切欠の周縁に沿い前記調整部に向けて膨出する膨出部が形成されるとともに、前記調整部の本体部側対向面には、前記スライド移動方向に沿って起立する両側の側壁とそれらを連結する天井壁とを有し扉側とは反対側に開口を有する突出部が形成され、それら本体部と調整部とが互いに離間する向きにスライド移動したときに両者の係合が外れるのを防止するために、これら膨出部と突出部とが接当可能であることを特徴とする。
【００１３】
これらの構成によれば、調整部の本体部側対向面に形成される突出部は、スライド移動方向に沿って起立する両側の側壁とそれらを連結する天井壁とを有し扉側と反対側に開口を有する。このように、両側壁と天井壁との三方壁構造を有することにより、例えば頂部からの荷重によって天井壁部分が曲がって垂れ下がり、その結果開口が潰れるように変形する事態が防止される。したがって、突出部は過酷な条件下での輸送時の振動・衝撃等にも耐え得る十分な強度を有し、扉の位置調整の際に本体部と調整部との外れ止め（抜け止め）機能が損なわれるおそれが小さい。
【００１４】
これらのスライド蝶番において、第二切欠の周縁部をほぼ全周にわたり調整部側に押圧成形することにより膨出部を膨出形成し、スライド移動方向から見た天井壁の幅が扉側と反対側ほど狭くなるように、両側の側壁と天井壁とを押圧一体成形することにより突出部を起立形成することができる。これにより、膨出部は本体部のプレス成形（押圧成形）時に、突出部は調整部のプレス成形（押圧成形）時に、それぞれ形成できるので、製造コストの低減化が図れる。また、第二切欠の周縁部を押圧成形によって形成するので、第二切欠の強度も相対的に向上する効果がある。さらに、天井壁の幅が扉側と反対側ほど狭く形成されるので、プレス成形時に突出部の開口側（成形時にフリーとなる側）にひずみ等が発生しにくくなる。
【００１５】
その際、調整部に形成された突出部の開口位置における天井壁の最小幅を本体部に形成された第二切欠の幅よりも小となるように起立形成することができる。これにより、突出部の天井壁が第二切欠の内縁でガイドされることによって、扉の位置調整を行う際の本体部内への調整部のスライド挿入等がスムーズに行える。
【００１６】
さらに、調整部には固定壁内面に沿ってスライド移動方向と直交する方向に長孔を形成し、その長孔には固定壁内面に直接固定された固定部に螺合された第三調整ねじの先端部を挿通する一方、本体部にはその第三調整ねじの調整工具を挿入するための窓孔を形成し、第三調整ねじによって、固定部に対して調整部を長孔形成方向へ相対的にスライド移動させ、扉上下方向位置調整を固定壁内面側から可能としてもよい。これにより、固定壁に対する固定部の取付位置を変更せずに扉上下方向位置調整も行えるようになる。
【発明を実施するための最良の形態】
【００１７】
（実施例１）
以下、本発明の実施の形態を、図面を用いて説明する。図１はスライド蝶番（以下、単に蝶番ともいう）の平面図、図２は正面図、図３は図１のＡ−Ａ断面図、図４は図１のＢ−Ｂ断面図である。図１に示すように、蝶番１は、第一蝶番部材２及び第二蝶番部材３とを有する。第一蝶番部材２が家具の扉５０に、第二蝶番部材３がその扉５０によって塞がれる家具本体５１（固定壁）にそれぞれ取り付けられる。家具用の扉５０は、閉状態（図２）ではむやみに開いたりしないように、閉鎖状態を保持する機構が必要である。また、逆に開状態（図３）では、家具本体５１への物品の出し入れの妨げにならないよう、開状態を保持する機構が設けられていると便利である。この２つの機能を簡便に実現する方法として、蝶番１にターンオーバ機構４が設けられている。
【００１８】
図２において、ターンオーバ機構４は、第一蝶番部材２と第二蝶番部材３とを、ダブルリンク結合した構造を有し、第一蝶番部材２の２つのリンク旋回軸５，６を、第二蝶番部材３側の２つのリンク旋回軸７，８にそれぞれ結合する２つのリンク部材９，１０の間に、ターンオーバ機能を実現するためのねじりコイルばね１３を設けた構造になっている。このうち、扉５０側に取り付けられる第一蝶番部材２には、扉閉状態において第二蝶番部材３の結合基端部３ａと２つのリンク部材９，１０とを収容するためのカップ部１１が設けられている。このようなカップ部１１を設けるのは、リンク部材９，１０の取付スペースと、リンク部材９，１０の旋回代とを確保するためである。このカップ部１１は、扉５０の内面に凹部５３を掘り込み形成し、ここに埋設する形で取り付ける。カップ部１１の外周面開口端部には、鍔状の取付プレート１２を一体形成し、その裏面側を凹部５３の開口周縁面に当接させ、取付プレート１２を貫通するねじ部材等により固定を行う。そして、蝶番１は、ねじりコイルばね１３の端片が一方の安定位置から弾性変位の最大点を乗り越えて他方の安定位置へ移動することにより、扉閉位置と扉開放位置をそれぞれ安定保持位置とするターンオーバ機構４が実現する。
【００１９】
蝶番１は、扉側に固定されたカップ部１１にリンク部材９,１０を介して連結された断面アーチ状を成す第二蝶番部材３の本体部２０と、第二蝶番部材３を家具本体５１に取り付ける固定座金３０とを有している。図１に示すように固定座金３０には、取付座３１に貫通ねじ孔３２が形成され、固定座金３０は貫通ねじ孔３２を貫通する取付ねじ（図示せず）を家具本体５１にねじ込むことで取付固定される。
【００２０】
図３に示すように、この固定座金３０には、本体部２０内に収容される調整部３３が取付座３１と一体に形成されている。調整部３３には、扉側の端縁で開口する第一切欠３４が形成され、この第一切欠３４に、本体部２０に螺合された第一調整ねじ４１の先端部が挿通されている。この第一調整ねじ４１によって従来と同様に扉閉鎖時（図２）の扉幅方向の位置調整が行われる。また、本体部２０には、扉側と反対側の端縁で開口する第二切欠２１が形成され、この第二切欠２１に、調整部３３に螺合された第二調整ねじ４２の頭部が挿通されている。この第二調整ねじ４２によって本体部２０と調整部３３とのアーチ形成方向への相対的なスライド移動に基づく扉閉鎖時（図２）の扉厚さ方向の位置調整が行われる。なお、本実施形態では、第一調整ねじ４１の先端に溝４１ａが形成され、その溝４１ａに、調整部３３の前端部に形成された長手方向の第一切欠３４が挿入されている。これにより、第一調整ねじ４１に対する調整部３３の長手方向（アーチ形成方向）の相対移動が許容される。以上のようにして、扉幅方向（左右方向）及び扉厚さ方向（前後方向）の各位置調整を可能とする位置調整機構６２が構成されている。
【００２１】
このように、扉幅方向の調整も扉厚さ方向の調整も、図３のように扉５０の開放状態で行う。作業者は扉５０の開放空間から手を入れて、家具本体５１の内面側から調整することになる。なお、扉５０の調整方向は図２の扉閉鎖時で示している。
【００２２】
そして、図３に示すように、本体部２０の調整部３３側対向面には、第二切欠２１の周縁に沿い調整部３３に向けて膨出する膨出部２２が形成されている。また、調整部３３の本体部２０側対向面には、本体部２０の調整部３３側対向面と所定間隔（例えば本体部２０の板厚以上）を有するように、本体部２０に向けて突出する係止爪３５（突出部）が形成されている。係止爪３５は、スライド移動方向（前後方向；アーチ形成方向）に沿って起立する両側の側壁３５ａとそれらを連結する天井壁３５ｂとを有し、扉５０側とは反対側に開口３５ｃを有した形状を呈している。本体部２０が調整部３３（固定座金３０）に対して前方（扉５０へ近づく方向）にスライド移動したときに、係止爪３５は膨出部２２に接当可能な位置関係にあり、本体部２０と調整部３３との係合が外れるのを防止する働きをする。
【００２３】
具体的には、図５（ｃ）に示すように、係止爪３５の両側壁３５ａ,３５ａは、上方（本体部２０側）へ向かう程その間隔が狭くなるような台形状に形成され、調整部３３の天板部３３ａから内側傾斜して起立している（図４参照）。また、係止爪３５の天井壁３５ｂは、天板部３３ａから立ち上がる台形状の前方傾斜部３５ｂ１と、前方傾斜部３５ｂ１に続く矩形状（長方形状又は正方形状）の後方平坦部３５ｂ２とを有している。前方傾斜部３５ｂ１は、後方（扉５０から遠ざかる方向）へ向かう程高位となり、かつ幅狭となるように傾斜し、後方平坦部３５ｂ２は、側壁３５ａの最高位で一定高さに維持されている。したがって、天井壁３５ｂは、両側壁３５ａ,３５ａと前方傾斜縁及び後方平坦縁で強固に一体連結されている。このように、両側壁３５ａ,３５ａと天井壁３５ｂとの三方壁構造を有することにより、例えば頂部からの荷重によって天井壁３５ｂ部分が曲がって垂れ下がり、その結果開口３５ｃが潰れるように変形する事態が防止される。したがって、係止爪３５は過酷な条件下での輸送時の振動・衝撃等にも耐え得る十分な強度を有することになり、扉の位置調整の際に本体部２０と調整部３３との外れ止め（抜け止め）機能が損なわれない。
【００２４】
さらに、図４に示すように後方平坦部３５ｂ２の幅（すなわち開口３５ｃ位置における最小幅）Ｗ１が、本体部２０に形成された第二切欠２１の幅Ｗ２よりも小となるように形成されている。これにより、係止爪３５の天井壁３５ｂ（後方平坦部３５ｂ２）が第二切欠２１の内縁でガイドされることによって、扉の位置調整を行う際の本体部２０内への調整部３３のスライド挿入等がスムーズに行える。なお、調整部３３には、断面アーチ状（例えば逆Ｕ字状）の本体部２０の両脚部２０ａ,２０ａを下方より受け止める段差部３３ａ,３３ａが形成されているので、本体部２０のスライド移動は一層円滑に行われる。
【００２５】
一方、図４に示す膨出部２２は、第二切欠２１の周縁部ほぼ全周にわたる型枠を用いたプレス等の押圧成形により調整部３３側に膨出形成される。これにより、膨出部２２が第二切欠２１の補強リブとなるので、第二切欠２１の強度が向上する。他方、図５（ｃ）に示す係止爪３５を形成するために外形打抜きと同時に天板部３３ａの開口３５ｃ位置に、スライド移動方向と直交する方向に直線の切込みを入れる。次に、両側の側壁３５ａ,３５ａと天井壁３５ｂとが型枠を用いたプレス等の押圧成形により起立形成される。
【００２６】
このような蝶番１は、図３に示す扉５０の開放状態で（ターンオーバ機構４により開放状態を保持して）次のように扉５０の位置調整が行われる。すなわち、第二調整ねじ４２を緩め、第二切欠２１の長さ範囲内に本体部２０を前後方向に移動させて位置調整し、その後第二調整ねじ４２を締めこむことで、本体部２０、ひいてはこれに第一蝶番部材２を介して結合される扉５０の扉厚さ方向位置を調整できる。また、調整部３３は第一調整ねじ４１と第二調整ねじ４２により、長手方向両端部にて２点支持される形となるので、安定的なスライド移動が可能となる。また、本体部２０が調整部３３（固定座金３０）に対して前方へスライド移動したときに、係止爪３５が膨出部２２に当たり、本体部２０と調整部３３との係合の外れを防止する。
【００２７】
（実施例２）
次に、図６に示す第２実施例について説明する。実施例１の蝶番１では固定座金３０は調整部３３と取付座３１とが一体となって家具本体５１に相対移動不能に固定形成されているが、実施例２の蝶番１００では固定座金１３０のスライド調整板１３３（調整部）が取付板１３１（固定部）に対して扉上下方向に移動する点が異なる。つまり、この実施例の位置調整機構１６２では、扉幅方向位置調整と扉厚さ方向位置調整とに加えて扉の上下方向位置調整を行えるようにしたものである。スライド調整板１３３には家具本体５１の内面に沿って前後方向（扉５０に接近離間する方向）と直交する方向に長孔１３６が形成され、この長孔１３６を貫通して第三調整ねじ４３が取付板１３１のねじ孔１３７にねじ込まれている。第二蝶番部材３のスライド調整板１３３は、本体部２０と一体的に、長孔１３６の形成方向にスライド可能に取り付けられている。第三調整ねじ４３を緩め、長孔１３６の範囲内にてスライド調整板１３３を長孔形成方向に移動させて位置調整し、その後第三調整ねじ４３を締めこむことで、該スライド調整板１３３及び本体部２０、ひいてはこれに第一蝶番部材２を介して結合される扉５０の上記長孔形成方向の位置（つまり扉上下方向位置）を調整できる。なお、ドライバー等の調整工具による第三調整ねじ４３の操作は、本体部２０の頂面部分に形成された操作窓２３（窓孔）を介して行うことができる。
【００２８】
実施例２で第一調整ねじ４１により扉幅方向位置を調整できる点及び第二調整ねじ４２により扉厚さ方向位置を調整できる点は実施例１と同様である。また、スライド調整板１３３には係止爪３５が形成され、一方本体部２０には膨出部２２が形成され、スライド調整板１３３と本体部２０との係合の外れ止め機能を有する。このようにすることにより、扉幅方向、扉厚さ方向に加えて扉上下方向の調整が可能となり、扉５０の取付位置を３次元的に微調整が可能となる。その他、図６において、図３（実施例１）と共通する機能を有する部分には同一の符号を付して説明を省略する。
【００２９】
（変形例）
次に、図７は図３又は図６に示す係止爪３５に共通して適用できる変形例を示す。図７に示すように調整部３３（１３３）の本体部２０側対向面には、本体部２０に向けて突出する係止爪１３５（突出部）が形成されている。係止爪１３５は、後方へいく程高位となるように天板部３３ａ（１３３ａ）から傾斜状に起立する起立部１３５ａと、起立部１３５ａに続いて天板部３３ａ（１３３ａ）と平行状の折曲部１３５ｂとを有し、折曲部１３５ｂの下方において、扉５０とは反対側に開口１３５ｃが形成されている。係止爪１３５は本体部２０側対向面において先端が扉側と反対側に傾斜した形に形成される。前述と同様に、本体部２０と調整部３３（１３３）とが互いに離間する向きにスライド移動したときに、本体部２０の膨出部２２と係止爪１３５とが接当可能な位置関係にあり、本体部２０と調整部３３（１３３）との係合が外れるのを防止することができる。
【００３０】
係止爪１３５を形成するために、外形打抜きと同時に天板部３３ａ（１３３ａ）に、前方側基端部から後方へ延び方向変換部を経て再び前方側基端部へ戻る舌状（例えばコの字状）の切れ目１３５’（図７（ｂ）参照）を入れる。次に、本体部２０側対向面において扉側と反対側に開口１３５ｃを形成する形となるように、起立部１３５ａと折曲部１３５ｂとが型枠を用いたプレス等の押圧成形により起立形成される。
【００３１】
（実施例３）
次に、スライド蝶番２００の第三実施例について説明する。図８に示すように蝶番２００の本体部２２０には、係止爪２３５（突出部）が形成されている。調整部２３３の本体部２２０側対向面には、本体部２２０に向けて膨出する膨出部２２２が形成されている。本体部２２０の扉側と反対側に開口する第二切欠２２１に、調整部２３３に螺合された第二調整ねじ４２の頭部が挿通されている。これら係止爪２３５と膨出２２２とが接当可能な位置関係にあり、本体部２２０と調整部２３３とが互いに離間する向きにスライド移動したときに、本体部２２０と調整部２３３との係合が外れるのを防止することができる。図３（実施例１）及び図８（実施例３）に示すように、接当関係にある膨出部と係止爪とは、本体部２０（２２０）と調整部３３（２３３）とのどちら側に設けてもよい。
【００３２】
図８に示す係止爪２３５は、扉側と反対側の端部に２本の平行な直線状の切込みを入れた後、調整部２３３側対向面に起立するように、プレス等の押圧成形により形成される。この係止爪２３５の形成時にあわせて扉側と反対側に開口する第二切欠２２１が形成される。一方、膨出部２２２は調整部２３３の一部をプレス等によって押圧成形により膨出形成される。
【００３３】
なお、図１、図２に示す第一実施例にも操作窓２３が設けてある。これによって、第一実施例（図３）の本体部２０を第二実施例（図６）に共用化できる。
【図面の簡単な説明】
【００３４】
【図１】本発明のスライド蝶番の一例を示す平面図。
【図２】図１のスライド蝶番を折り畳んで扉を閉鎖したときの正面図。
【図３】図１のスライド蝶番のＡ−Ａ断面図。
【図４】図１のスライド蝶番のＢ−Ｂ断面図。
【図５】固定座金の平面図、正面図及び一部拡大斜視図。
【図６】本発明のスライド蝶番の他の例を示す要部正面断面図。
【図７】固定座金の変形例を示す正面図及び一部拡大斜視図。
【図８】本発明のスライド蝶番のさらに他の例を示す説明図。
【符号の説明】
【００３５】
１    蝶番（スライド蝶番）
９,１０  リンク部材
１１  カップ部
２０  本体部
２１  第二切欠
２２  膨出部
２３  操作窓（窓孔）
３０  固定座金
３３  調整部
３４  第一切欠
３５  係止爪（突出部）
３５ａ  側壁
３５ｂ  天井壁
３５ｃ  開口
４１  第一調整ねじ
４２  第二調整ねじ
４３  第三調整ねじ
５０  扉
５１  家具本体（固定壁）
１３１  取付板（固定部）
１３６  長孔
【図１】
2005194747.tif 000003
【図２】
2005194747.tif 000004
【図３】
2005194747.tif 000005
【図４】
2005194747.tif 000006
【図５】
2005194747.tif 000007
【図６】
2005194747.tif 000008
【図７】
2005194747.tif 000009
【図８】
2005194747.tif 000010